(57)【特許請求の範囲】
【請求項１】
容器体１の口部11に該容器体内の液体を滲出させる塗布頭２を備え、該塗布頭２に被せるキャップ３をその容器体１に着脱自在に装着した塗布容器において、上記キャップ３に掻き爪４を出没自在に装備させたことを特徴とする掻き具付き塗布容器。
【請求項２】
容器体１の口部11に該容器体内の液体を滲出させる塗布頭２を備え、該塗布頭２に被せるキャップ３をその容器体１の頸部12に着脱自在に装着した塗布容器において、上記キャップ３を、外キャップ3aと該外キャップ3a内に出入可動に内装した内キャップ3bとから構成させ、該内キャップ3bの周壁31の下端全般に該内キャップ3bの出入により出没する波状の掻き爪４を周設したことを特徴とする掻き具付き塗布容器。
【請求項３】
容器体１の口部11に該容器体内の液体を滲出させる塗布頭２を備え、該塗布頭２に被せるキャップ３をその容器体１の頸部12に着脱自在に螺着した塗布容器において、上記キャップ３を、外キャップ3aと該外キャップ3a内に出入可動に内装した内キャップ3bとから構成させて、該内キャップ3bを上記頸部12に着脱自在に螺合させるとともに、これら外キャップ3aと内キャップ3bとの間に所定移動範囲の螺動出入案内手段５を講じ、かつ、該内キャップ3bの周壁31の下端全般に該内キャップ3bの螺動出入にて出没する三角波状の掻き爪４を周設したことを特徴とする掻き具付き塗布容器。
【発明の詳細な説明】
【０００１】
【発明の属する技術分野】
本発明は、掻き具付き塗布容器に関するものである。
【０００２】
【従来の技術】
容器体の口部に塗布頭を備え、容器体内の塗布液をその塗布頭に滲出させて患部へ塗布するようにした塗布容器は、例示するまでもなく既に周知であるが、痒み止め用等の薬液を収容して、虫刺され等の患部にその薬液を塗布する場合には、時として、塗布前、塗布途中、或いは、塗布後に、その患部を指で掻くことがある。
【０００３】
【発明が解決しようとする課題】
しかし、汚れた指で掻いたのでは、かえって不衛生であるばかりでなく、その塗布中や塗布後に掻くと、指に薬液が付着して、その都度、洗浄や拭き取りを要し、時には、この洗浄や拭き取りが不十分になり、甚だしくは、全く行われないことも生ずる。また、指に付着した薬液が他へ二次的に付着するという不都合も生ずる。
そこで、本発明は、キャップに掻き爪を装備させてキャップを掻き具に兼用し、これにより患部乃至その周辺を自由に掻けるようにして、それらの問題点を解決し、併せて、そのキャップを塗布頭に被着させた際にその掻き爪をキャップ内に仕舞い込みできるようにして、便利で、体裁のよい、掻き具付き塗布容器を提供しようとするものである。
【０００４】
【課題を解決するための手段】
かかる目的達成のため、請求項１の発明は、容器体１の口部11に該容器体内の液体を滲出させる塗布頭２を備え、該塗布頭２に被せるキャップ３をその容器体１に着脱自在に装着した塗布容器において、上記キャップ３に掻き爪４を出没自在に装備させて成る。
【０００５】
請求項２の発明は、容器体１の口部11に該容器体内の液体を滲出させる塗布頭２を備え、該塗布頭２に被せるキャップ３をその容器体１の頸部12に着脱自在に装着した塗布容器において、上記キャップ３を、外キャップ3aと該外キャップ3a内に出入可動に内装した内キャップ3bとから構成させ、該内キャップ3bの周壁31の下端全般に該内キャップ3bの出入により出没する波状の掻き爪４を周設して成る。
【０００６】
また、請求項３の発明は、容器体１の口部11に該容器体内の液体を滲出させる塗布頭２を備え、該塗布頭２に被せるキャップ３をその容器体１の頸部12に着脱自在に螺着した塗布容器において、上記キャップ３を、外キャップ3aと該外キャップ3a内に出入可動に内装した内キャップ3bとから構成させて、該内キャップ3bを上記頸部12に着脱自在に螺合させるとともに、これら外キャップ3aと内キャップ3bとの間に所定移動範囲の螺動出入案内手段５を講じ、かつ、該内キャップ3bの周壁31の下端全般に該内キャップ3bの螺動出入にて出没する三角波状の掻き爪４を周設して成る。
【０００７】
【発明の実施の形態】
図面は、請求項１乃至請求項３の発明に係る実施の形態を示している。
図示のものは、合成樹脂製のものであり、円筒状の容器体１の口部11に該容器体内の液体を滲出させる塗布頭２を装着し、かつ、頸部12の外周に螺条13を周設して上記塗布頭２に被せるキャップ３をその頸部12に着脱自在に螺合させて、塗布容器を形成している。
而して、キャップ３は、外キャップ3aと該外キャップ3a内に出入可動に内装した内キャップ3bとから構成させて、該内キャップ3bを、周壁31の内周に形成した螺条33を上記頸部12の螺条13へ螺合させることでその頸部12に着脱自在に螺装させるとともに、それら外キャップ3aと内キャップ3bとの間に螺旋方向を上記頸部12の螺条13と共通にする所定移動範囲の螺動出入案内手段５を講じ、かつ、該内キャップ3bの周壁31の下端全般に該内キャップ3bの螺動出入にて出没する三角波状の掻き爪４を周設している。
上記螺動出入案内手段５は、図４乃至図６に示すように、内キャップ3bの周壁31の外周において、それぞれが半周に満たない左右２つの案内螺条51を設けるとともに、各案内螺条51の上下両端にそれぞれ縦突条のストッパー52、53を連設し、かつ、各案内螺条51における上端近くの上側にそれぞれ縦突条の乗り越え位置決め突条54を設けており、また、外キャップ3aの周壁32の内周において、上記各案内螺条51等に対応する上下各２つの摺動係合子55, 56、すなわち、それぞれの下面が上記各案内螺条51の上面に倣い摺動し、少なくとも下部が上記各乗り越え位置決め突条54に乗り越え係合し、かつ、それぞれが各案内螺条51下端側のストッパー52で移動範囲が規制される各上側摺動係合子55と、それぞれの上面が上記各案内螺条51の下面に倣い摺動し、かつ、それぞれが各案内螺条51上端側のストッパー53で移動範囲が規制される各下側摺動係合子56とを設けて成る。なお、図示のものでは、各上側摺動係合子55と各下側摺動係合子56との位置を左右に少々ずらしているが、これは主として合成樹脂成形の便宜のためである。
【０００８】
如上の構成であるから、その使用に当たっては、容器体１内に痒み止め用等の薬液を収容し、塗布の際には、図１の状態からキャップ３を螺脱させて取り外し、かつ、その薬液を塗布頭２に滲出させて、該塗布頭２により患部へ塗布すればよい。この点、従来のものと大差ない。
ところで、キャップ３の螺脱の際には、当初、内キャップ3bが容器体１の頸部12に締まり付いているため、外キャップ3aが螺動出入案内手段５に案内されて定位置まで螺動上昇する。つまり、図６Ａの状態から、外キャップ3aの上下各２つの摺動係合子55、56が内キャップ3bの各案内螺条51の上面と下面に倣い摺動して、外キャップ3aだけが螺動上昇し、やがて、図６Ｂに示すように、各上側摺動係合子55が内キャップ3bの各乗り越え位置決め突条54に乗り越え係合するとともに、各下側摺動係合子56が内キャップ3bの各案内螺条51上端側のストッパー53に衝合する。この状態では、図２に示すように、内キャップ3bの周壁31の下端に周設した三角波状の掻き爪４が外キャップ3aの周壁32の下に表出し、この表出状態が上述の各上側摺動係合子55と各乗り越え位置決め突条54との乗り越え係合で維持される。
引き続いて、この状態から外キャップ3aを更に回動させると、内キャップ3bがこれに連動して、容器体１の頸部12から螺脱され、図３に示すように、キャップ３を取り外すことができる。
取り外したキャップ３では、三角波状の掻き爪４が表出すなわち突出しているので、上述の塗布に際し、このキャップ３によって患部乃至その周辺を掻くことができ、その塗布前、塗布中、塗布後に患部を掻くときは、外したキャップ３を持ってその掻き爪４を患部へ押し当てつつ適宜に擦り動かせばよく、患部に直接押し当てると支障がある場合には、患部を中心にしてキャップ３を患部に被せ、その患部の周りに掻き爪４を押し当てて、同様にして患部の周辺だけを適当に掻けばよい。
その後は、再びそのキャップ３を容器体１の頸部12に螺合させて塗布頭２に被着させるが、この際には、螺脱の際と同様に、外キャップ3aを持って螺装させればよく、外キャップ3aの操作でまず内キャップ3bが螺着され、引き続き外キャップ3aを回動させると、外キャップ3aが螺動出入案内手段５に案内されて元位置まで螺動下降する。つまり、外キャップ3aの各上側摺動係合子55が内キャップ3bの各乗り越え位置決め突条54から離脱し、かつ、外キャップ3aの上下各２つの摺動係合子55、56が内キャップ3bの各案内螺条51の上面と下面に倣い摺動して、外キャップ3aだけが螺動下降し、やがて、各上側摺動係合子55が内キャップ3bの各案内螺条51下端側のストッパー52に衝合する。ここで、外キャップ3aを更に回動させることで内キャップ3b共々頸部12へ締め付けることができ、図１の状態に戻る。そして、この状態では、内キャップ3bの掻き爪４は、再び外キャップ3a内に収納される。
【０００９】
なお、容器体１の頸部12とキャップ３とを、螺合に代えて係合手段により着脱自在に係合させるようにしてもよい。容器体１は、スクイズタイプのものでもよい。塗布頭２は、内部に押圧で開弁する弁、その他の各種の弁を有するもの等適宜である。掻き爪４は、三角波状のものに限らず、方形波状、台形波状、正弦波状、鋸歯状波状等適宜である。
【００１０】
【発明の効果】
請求項１、請求項２及び請求項３の発明によれば、キャップ３に掻き爪４を出没自在に装備させているので、取り外したキャップ３から掻き爪４を突出させ、これを掻き具として用いて、その掻き爪４を患部乃至その周辺に押し当てつつ擦り動かすことにより、極めて良好に心地よく掻くことができ、薬液の患部への浸透を促進させることができる。
そして、キャップ３を塗布頭２に被着させたときは、キャップ３に掻き爪４を没入させることで薬液に濡れた掻き爪４を表出させなくてすみ、したがって、掻き爪４に残る薬液の他への二次付着を防止でき、かつ、その掻き爪４が見映えを損なうことがなくて、体裁をよくすることができ、しかも、塵埃等による汚れを極力おさえることができる。
加えて、請求項２及び請求項３の発明によれば、キャップ３の周壁31の下端全般に波状の掻き爪４を周設しているので、患部に直接押し当てると支障が生ずるときは、患部の周辺全周に掻き爪４を押し当ててその患部の周辺だけを極めて容易にかつ的確に掻くことができる。
また、請求項３の発明によれば、キャップ３を、外キャップ3aと該外キャップ3a内に出入可動に内装した内キャップ3bとから構成させて、該内キャップ3bを容器体１の頸部12に着脱自在に螺合させるとともに、これら外キャップ3aと内キャップ3bとの間に所定移動範囲の螺動出入案内手段５を講じ、かつ、該内キャップ3bの周壁31の下端全般に該内キャップ3bの螺動出入にて出没する三角波状の掻き爪４を周設しているので、キャップ３の螺脱、螺着において、螺動出入案内手段５により外キャップ3aを内キャップ3bに対して昇降させることができて、キャップ３の螺脱、螺着に伴い自動的に掻き爪４を出没させることができて、その操作取扱いが極めて簡単であり、しかも、掻き爪４が三角波状であるから、患部乃至その周辺には軽い押圧力で心地よい刺激を与えることができ、軽快に掻き操作をすることができ、頗る便利重宝である。
【図面の簡単な説明】
【図１】  請求項１、請求項２及び請求項３の発明に係る実施の形態を示す斜視図である。
【図２】  同実施の形態におけるキャップ螺脱時を示す斜視図である。
【図３】  同実施の形態におけるキャップ離脱状態を示す斜視図である。
【図４】  同実施の形態におけるキャップの一部截断分解斜視図である。
【図５】  同実施の形態における要部の一部截断側面図である。
【図６】  同実施の形態における螺動出入案内手段の動作説明図である。
【符号の説明】
１…容器体                      11…口部
12…頸部                        13…螺条
２…塗布頭
３…キャップ                    3a…外キャップ
3b…内キャップ                  31…周壁
32…周壁
４…掻き爪
５…螺動出入案内手段            51…案内突条
52…ストッパー                  53…ストッパー
54…乗り越え位置決め突条        55…上側摺動係合子
56…下側摺動係合子
【図１】
0003665913.tif 000002
【図２】
0003665913.tif 000003
【図３】
0003665913.tif 000004
【図４】
0003665913.tif 000005
【図５】
0003665913.tif 000006
【図６】
0003665913.tif 000007